(57)【要約】【課題】低コストで構成可能である上、配線等が簡易であり、使い勝手を損ねることのないキャビネット施解錠システムを提供する。【解決手段】キャビネット施解錠システム１を、カード読取装置４に対し、複数の錠装置３、３・・を直列に接続し、施解錠動作に係る電気信号を錠装置３、３同士の間で送受信させるように構成する。該構成とすることにより、カード読取装置４にてＩＣカード６の認証操作を１度行うだけで、全ての錠装置３、３・・における施解錠動作の制御を行うことができる。したがって、１度の認証操作で複数のキャビネット２、２・・の扉部を開放可能とすることができ、ＩＣカード６を複数用意したり、各キャビネット２毎にＩＣカード６を持参して解錠操作を行う必要がなく、使い勝手が良い上、低コスト化を図ることができる。【選択図】図１
2007332714.tif 000002
【特許請求の範囲】
【請求項１】
ＩＣカードと、該ＩＣカードを認証するための認証装置と、各キャビネットの扉部を施解錠する錠装置とを備え、前記ＩＣカードの認証に伴い、前記認証装置が前記錠装置における施解錠動作を制御するキャビネット施解錠システムであって、
前記認証装置に対し、複数の錠装置を直列に接続し、前記施解錠動作に係る電気信号を錠装置同士の間で送受信させることを特徴とするキャビネット施解錠システム。
【請求項２】
任意の錠装置に、錠装置間で送受信される電気信号を増幅するための増幅器を設けたことを特徴とする請求項１に記載のキャビネット施解錠システム。
【発明の詳細な説明】
【技術分野】
【０００１】
本発明は、キャビネットに開閉可能に取り付けられた扉部の施解錠を制御するためのキャビネット施解錠システムに関するものである。
【背景技術】
【０００２】
従来より、キャビネットの扉部の施解錠を制御するための種々のシステムが考案されており、たとえば、ＩＣタグ等が内蔵されたＩＣカードを利用した認証を行い、該認証結果にもとづいて電気錠を動作させ、扉部を施解錠するものがある。該システムにおいては、ＩＣカードを読み取るとともに電気錠を動作させてキャビネットの扉部の施解錠を制御するカード読取装置が各キャビネット毎に夫々設置されており、作業者は、開放したいキャビネットまで該キャビネットに対応したＩＣカードを持参して、扉部の施解錠を行っていた。
【０００３】
また、特許文献１に開示されているように、１台のコンピュータに対して、複数のキャビネット施解錠装置を並列に接続し、コンピュータの操作によって、複数のキャビネットを同時に施解錠可能としたようなシステムもある。
【０００４】
【特許文献１】特開２００３−１３８８１２号公報
【発明の開示】
【発明が解決しようとする課題】
【０００５】
上記各キャビネット毎にカード読取装置を設置してなるシステムにあっては、作業者が複数のキャビネットを開放して作業を行いたいような場合に、各キャビネットまで赴いて対応したＩＣカードをカード読取装置に読み取らさなければならない。つまり、複数のカードを扱わなければならないため、扉部の施解錠作業が非常に煩わしいという問題がある。また、キャビネット毎に専用のＩＣカードと該ＩＣカードに対応したカード読取装置とを設けなければならないため、コスト高になるという問題もある。さらに、全キャビネットの使用ＩＣカードを統一したところで、複数のキャビネットを開放する際におけるＩＣカードの読取作業の回数が減るわけではなく、依然として使い勝手に問題がある。
一方、特許文献１のようなキャビネット施解錠システムによれば、コンピュータによる一斉操作が可能となっており使用性の向上は図られているものの、１台のコンピュータに対して複数のキャビネット施解錠装置を並列に接続しているため、配線が複雑になる、キャビネットとコンピュータとの伝送距離に乏しい、という問題を抱えている。
【０００６】
そこで、本発明は、上記問題に鑑みなされたものであって、低コストで構成可能である上、配線等が簡易であり、使い勝手を損ねることのないキャビネット施解錠システムを提供しようとするものである。
【課題を解決するための手段】
【０００７】
上記目的を達成するために、本発明のうち請求項１に記載の発明は、ＩＣカードと、該ＩＣカードを認証するための認証装置と、各キャビネットの扉部を施解錠する錠装置とを備え、前記ＩＣカードの認証に伴い、前記認証装置が前記錠装置における施解錠動作を制御するキャビネット施解錠システムであって、前記認証装置に対し、複数の錠装置を直列に接続し、前記施解錠動作に係る電気信号を錠装置同士の間で送受信させることを特徴とする。
請求項２に記載の発明は、請求項１の発明において、任意の錠装置に、錠装置間で送受信される電気信号を増幅するための増幅器を設けたことを特徴とする。
尚、本発明における接続とは、電気的接続を意味する。
【発明の効果】
【０００８】
本発明によれば、認証装置に対し、複数の錠装置を直列に接続し、施解錠動作に係る電気信号を錠装置同士の間で送受信させるようにしているため、認証装置にてＩＣカードの認証操作を１度行うだけで、全ての錠装置における施解錠動作の制御を行うことができる。したがって、１度の認証操作で複数のキャビネットの扉部を開放可能とすることもできるため、ＩＣカードを複数用意したり、各キャビネット毎にＩＣカードを持参して解錠操作を行う必要がなく、使い勝手が良い上、低コスト化を図ることができる。
また、コンピュータ等に複数の錠装置を並列に接続するシステムと比較して、錠装置を直列に接続していることから、配線が簡易となり、配線作業等が容易となる。
さらに、請求項２に記載の発明によれば、任意の錠装置に増幅器を設けることにより、コンピュータ等に複数の錠装置を並列に接続するシステムと比較して、伝送距離を伸ばすことができる、といったメリットがある。
【発明を実施するための最良の形態】
【０００９】
以下、本発明の一実施形態となるキャビネット施解錠システムについて図面をもとに説明する。
【００１０】
図１は、本発明に係るキャビネット施解錠システム１の概要を示した説明図であり、図２は、キャビネット施解錠システム１のブロック構成図である。
キャビネット施解錠システム１は、各キャビネット２の扉部を施解錠する電気錠２２を備えた錠装置３、３・・と、ＩＣタグ等を内蔵したＩＣカード６から識別情報を読み取るとともに各錠装置３における施解錠動作を制御するカード読取装置（認証装置）４と、各錠装置３における施解錠状態を監視するためのコンピュータ５とからなる。各錠装置３、カード読取装置４、及びコンピュータ５は電気的に接続されており、特に、複数の錠装置３、３・・は、カード読取装置４に対して直列に接続（電気的に接続）されている。
【００１１】
カード読取装置４は、ＩＣカード６を近接させることによりＩＣカード６の識別情報を読み取り可能となっており、施解錠に係る各種制御を行うＣＰＵ（制御手段）１１と、ＩＣカード６の識別情報を読み取るための読取部１２と、ＩＣカード６の認証等に必要な各種情報が記憶された記憶部１３と、錠装置３やコンピュータ５との間で各種信号や情報等を送受信するための送受信部１４とを備えている。記憶部１３には、コンピュータ５等を利用して、ＩＣカード６が有する識別情報が予め入力されており、ＣＰＵ１１は、読取部１２にて読み取られた識別情報と記憶部１３に予め記憶されている識別情報との一致／不一致を判断することにより、ＩＣカード６の適否を認証する。尚、カード読取装置４は、作業者が利用しやすいデスク等に設置される。
【００１２】
一方、錠装置３は、各キャビネット２の扉部又はその近傍に設置されており、扉部を施解錠する電気錠２２、該電気錠２２の動作等を制御する制御装置２１、錠装置３、３間やカード読取装置４等との間で通信を行うための送受信手段２３、電気錠２２を施錠とするための施錠スイッチ２４、及び電気錠２２の施解錠状態を報知するランプ２５等を備えている。そして、複数の錠装置３、３・・は、各錠装置３の送受信手段２３を介して直列に接続されている。尚、任意の錠装置３（たとえば、数個に１つの割合）における送受信手段２３には、錠装置３、３間等で送受信される各種信号を増幅するための増幅器が設けられている。
【００１３】
以上のような構成を有するキャビネット施解錠システム１におけるキャビネット２、２・・の施解錠動作について以下説明する。
作業者は、キャビネット２、２・・の扉部を開放して作業を行いたい場合、所定のＩＣカード６をカード読取装置４に近接させて、ＩＣカード６の識別情報を読取部１２に読み取らせる。カード読取装置４は、ＩＣカード６の識別情報を読み取ると、読み取った識別情報と記憶部１３に予め記憶されている識別情報との一致／不一致を判断し、両者が一致した場合には、送受信部１４を介して錠装置３へ解錠信号を送信するとともに、錠装置３へ解錠信号を送信した旨をコンピュータ５へ送信する。カード読取装置４から送信された解錠信号は、任意の送受信手段２３で増幅されながら錠装置３、３間を送られ、最終的に末端の錠装置３まで送られることになる。
【００１４】
各錠装置３は、解錠信号を受信すると、電気錠２２を動作させて解錠とし、キャビネット２の扉部を開放可能にするとともに、ランプ２５を点灯又は点滅させて電気錠２２が解錠状態にある旨を報知する。そして、作業者は、該状態にて、キャビネット２の扉部を開放し、作業を行うことになる。
【００１５】
また、作業者による作業が終了すると、作業者は、キャビネット２の扉部を閉塞した後、施錠スイッチ２４を操作する。各錠装置３は、作業者による施錠スイッチ２４の操作が行われると、電気錠２２を動作させて施錠とし、ランプ２５を消灯するとともに、電気錠２２を施錠とした旨をコンピュータ５へ送信する。
一方、コンピュータ５では、カード読取装置４から送信される解錠信号に係る情報及び各錠装置３から送信される施錠に係る情報を時刻等とともに管理しており、たとえばモニターに表示する等して、各キャビネット２における扉部の施解錠状態を把握可能としている。
このようにして、キャビネット２、２・・の施解錠動作は行われる。
【００１６】
上述したようなキャビネット施解錠システム１によれば、カード読取装置４に対して複数の錠装置３、３・・を直列に接続しているため、カード読取装置４にてＩＣカード６の認証を１度行うだけで、全ての錠装置３、３・・における電気錠２２を解錠とし、キャビネット２の扉部を開放可能にすることができるため、ＩＣカード６を複数用意したり、各キャビネット２毎にＩＣカード６を持参して解錠操作を行う必要がなく、使い勝手が良い上、低コスト化を図ることができる。
また、コンピュータ等に複数の錠装置３、３・・を並列に接続するシステムと比較して、錠装置３、３・・を直列に接続しているため、配線が簡易となり、配線作業等が容易となる上、任意の錠装置３（送受信手段２３）に増幅器を設けることにより、伝送距離を伸ばすことができる、といったメリットがある。
【００１７】
さらに、錠装置３にランプ２５を設け、電気錠２２の施解錠に応じて点灯又は点滅させるようにしているため、作業者は、キャビネット２の扉部の施解錠状態を容易に把握することができ、扉部を施錠し忘れるといった事態を防止することができる。
加えて、コンピュータ５をカード読取装置４及び錠装置３、３・・に接続しており、コンピュータ５にて各キャビネット２における扉部の施解錠状態を把握可能としている。したがって、上記扉部の施錠し忘れといった事態を一層確実に防止することができる上、いつＩＣカード６を利用した解錠操作が行われたかといった情報がコンピュータ５にて管理されるため、防犯性の向上等を図ることができる。
【００１８】
なお、本発明のキャビネット施解錠システムに係る構成は、上記実施形態の態様に何ら限定されるものではなく、認証装置、錠装置、及びコンピュータ等に係る構成について、本発明の趣旨を逸脱しない範囲で適宜変更することができる。
【００１９】
たとえば、上記実施形態では、各錠装置に電気錠を施錠とする施錠スイッチを設けているが、認証装置に解錠スイッチと施錠スイッチとを設け、ＩＣカードの認証後に該スイッチを操作することにより、各錠装置における電気錠を解錠又は施錠するような構成としてもよいし、施錠スイッチの操作に関してはＩＣカードの認証を行わなくてもよいような構成としてもよい。
【００２０】
また、認証装置に、解錠とする錠装置を選択指定可能な選択装置を設け、ＩＣカードの認証により所望のキャビネットのみ開放可能とするような構成（たとえば、上記カード読取装置に入力部等を設け、該入力部からの入力情報を解錠信号に関連付けて送信する一方、各錠装置は、受信した入力情報に基づき、電気錠を動作させるか否かを判断するような構成）としても何ら問題はない。
【００２１】
さらに、各錠装置に、キャビネットの扉部の開閉を検知可能な開閉センサを設け、電気錠が解錠となった後、扉部の閉塞状態が所定時間（たとえば、５分間）以上に亘って継続すると、自動的に電気錠を動作させて施錠とするような構成としてもよい。
加えて、キャビネットにおける扉部の施解錠状態を報知する報知手段としては、上記実施形態に記載のランプやコンピュータのモニター以外に、スピーカ等といった音声を利用した報知手段としても何ら問題はない。
【図面の簡単な説明】
【００２２】
【図１】キャビネット施解錠システムの概要を示した説明図である。
【図２】キャビネット施解錠システムのブロック構成図である。
【符号の説明】
【００２３】
１・・キャビネット施解錠システム、２・・キャビネット、３・・錠装置、４・・カード読取装置、５・・コンピュータ、６・・ＩＣカード、１１・・ＣＰＵ、１２・・読取部、１３・・記憶部、１４・・送受信部、２１・・制御装置、２２・・電気錠、２３・・送受信手段、２４・・施錠スイッチ、２５・・ランプ。
【図１】
2007332714.tif 000003
【図２】
2007332714.tif 000004